(57)【要約】【課題】老朽化防火水槽を、崩落があっても水槽の形態を維持し水漏れを防止するように更正する方法とその更正した防火水槽の提供【解決手段】  既存の防火水槽Ａの壁面に沿って、内部に密封の水袋６、７を有する遮水シート体３を敷く。遮水シート体３の水袋６，７に水を供給してシート水槽１０を形成する。このシート水槽１０内に複数のブロック１１を防火水槽Ａの天井近傍まで積み重ねる。ブロック１１と防火水槽Ａの天井との間に内部に密封の水袋６，７を有する第２遮水シート体１３を被せる。防火水槽Ａのマンホール２下部に設けられた円筒管１２を介してシート水槽１０に水を供給し貯水槽とする。【選択図】図１
2013212861.tif 000002
【特許請求の範囲】
【請求項１】
既存の防火水槽（Ａ）と、
前記防火水槽（Ａ）のコンクリート壁に沿って囲繞枠を構成し、内部に密封の水袋（６，７）を形成する遮水シート体（３）と、
前記水袋（６，７）に供給され前記囲繞枠構成のシート水槽（１０）を形成するための水（９）と、
前記シート水槽（１０）内に積み重ねられる複数のブロック（１１）と、
前記シート水槽（１０）内に設けられ前記防火水槽（Ａ）のマンホール（２）に連通し導水のための導水路体（１２）と、
前記シート水槽（１０）上部にあって、前記防火水槽（Ａ）のコンクリート天井と前記ブロック（１１）の上部間に挿入され、内部に密封の水袋（６，７）を形成する第２遮水シート体（１３）と、
からなる更正された防火水槽。
【請求項２】
請求項１に記載の更正された防火水槽において、前記遮水シート体（３）および前記第２遮水シート体（１３）は、二重のシート体でシート間に前記水袋（６，７）を形成する構成のものであることを特徴とする更正された防火水槽。
【請求項３】
請求項１及び２に記載の更正された防火水槽において、前記水袋はチューブ形状部（６）又は布団形状部（７）を有する水袋であることを特徴とする更正された防火水槽。
【請求項４】
既存の防火水槽のコンクリート壁に沿って囲繞枠を構成し、内部に密封の水袋（６，７）を形成する遮水シート体（３）を敷き、
前記水袋（６，７）に水（９）を供給して前記遮水シート体（３）を膨らませ前記囲繞枠を構成するシート水槽（１０）を形成し、
前記シート水槽（１０）内に複数のブロック（１１）を積み重ね、
前記ブロック（１１）と前記防火水槽（Ａ）の天井との間に内部に密封の水袋（６，７）を形成する第２遮水シート（１３）を敷き、
前記シート水槽（１０）内に導水路（１２）を設けて、前記シート水槽（１０）内に水を導き貯水するようにした
ことを特徴とする防火水槽の更正方法。
【発明の詳細な説明】
【技術分野】
【０００１】
本発明は、防火水槽の更正方法とその更正された防火水槽に関する。更に詳しくは、特に既存のコンクリート製の老朽化した防火水槽における更正方法とその更正された防火水槽に関する。
【背景技術】
【０００２】
製品として、従来から消防用の防火水槽に代表されるコンクリート製の防火水槽は、日本消防設備安全センターにより認定されたものが使用されていて、その大きさは規格化されている。このため多くの同形式の防火水槽が全国に設置されている。又これに伴い設置年度が古く、老朽化した防火水槽も多い。この結果、水漏れ等の不具合が生じメンテナンスを余儀なくされている防火水槽も多くなっている。
【０００３】
一般的に当初は、耐震性、耐久性、止水性等優れた機能を有し規格製品として実用化されているものの、耐用年数を越えての使用には限界がある。特に水漏れが生じている場合には防火水槽としての機能が欠如することになり問題である。又、地面、地中に設置することから地震等の自然災害にさらされ破損することも考慮しなければならない。この様なことから従来は、防火水槽の補強又は修繕のために、水を抜いた後に例えば人手により内壁にハツリ、洗浄、目地シーリング等の施し、さらに防水モルタルを塗る等の防水施工を行い更正していた。
【０００４】
このような施工法は工数と費用がかさみ問題となっていた。また、特に地震等の災害においては、防火水槽そのものが崩落破損して、水漏れ防止のための処置以外に防火水槽本体の再構築も必要としていた。このため最近はその対策として種々の提案がなされている。例えば、防火水槽の壁面に弾性を有する止水材を内張りし、その壁面に沿って人の点検用の通路を設け、防火水槽の中心にブロック等を配列し遮水性のシートで覆い、内部貯留空間を設けた構成のものが知られている（例えば、特許文献１〜５参照）。
【０００５】
又、防火水槽の内壁に軟質樹脂性のシール、袋を内張りするのみの構成のものも知られている（例えば、特許文献６〜８）。さらに、防火水槽の崩落を防止する構成では、防火水槽内に枠体ユニットを積み上げ、内壁との間の隙間に充填材を充填させる構成のものが知られている（例えば、特許文献９参照）。
【先行技術文献】
【特許文献】
【０００６】
【特許文献１】特開２０１０−５３６２８号公報
【特許文献２】特開２０１０−１２０６８８号公報
【特許文献３】特開２０１０−１７９９４２号公報
【特許文献４】特開２０１１−２５５９１４号公報
【特許文献５】特開平９−２１７３９４号公報
【特許文献６】特開平８−２６０５２７号公報
【特許文献７】特開平９−３９８９号公報
【特許文献８】特開平１１−１５２１８２号公報
【特許文献９】特開２００７−３１４２１７号公報
【発明の概要】
【発明が解決しようとする課題】
【０００７】
しかしながら、従来からの施工、例えばエポキシ樹脂を塗布しての漏水防止処理施工は、地震等の自然災害ではすぐ亀裂が入り耐用年数前に水槽内の水が漏れるおそれが生じていた。このため前述の提案が提示されている。しかし、シールや袋体のみを使用する施工は、水漏れ防止に対しては一定の効果があるが、崩落破損対策には問題がある。又、崩落防止用に水槽中央にブロックを積み上げる構成のみでは、内壁との間に対しては空間を有する構成である。これは地震等の災害時には、ガレキがこの空間部に直接入り込みブロックを覆っているシートや袋体を直撃して損傷させるおそれがある。又、その衝撃でブロックの積み重ねも崩れてしまうおそれのある構成である。
【０００８】
結果的にシートや袋体を破損させ内部に貯留している水を漏水させるおそれが生じる。又、内面に軟質樹脂性のシールを内張りするのみの構成のものは、水漏れ防止にある程度の効果はあるものの、地震等による内壁または亀裂が生じた場合には、崩落で防火水槽自体が破壊しまうので、その効果を失うことになる。更に防火水槽の内壁等の崩落を防止する防火水槽も提案されているが、水漏れ防止においては不十分で、折角崩落を防止しても水が漏洩してしまってはその機能を果たせなくなってしまうことになる。従って、従来のようにコンクリート壁のひび割れの補修を伴う施工を施すことなく、容易に迅速に更正できる更正方法が望まれていた。
【０００９】
本発明は、このような従来の問題点を解決するために創案されたものであり、次の目的を達成する。本発明の目的は、地震等での崩落があっても防火水槽の形態を維持し水漏れの防止できる更正方法と、その更正された防火水槽の提供にある。又、本発明の他の目的は、既存の老朽防火水槽を低コストで短期間に容易な施工で更正できる方法と、その再構築した防火水槽の提供にある。
【課題を解決するための手段】
【００１０】
本発明は、上記目的を達成するために、次の手段で達成される。即ち、
本発明１の更正された防火水槽は、既存の防火水槽と、前記防火水槽のコンクリート壁に沿って囲繞枠を構成し、内部に密封の水袋を形成する遮水シート体と、
前記水袋に供給され前記囲繞枠構成のシート水槽を形成するための水と、前記シート水槽内に積み重ねられる複数のブロックと、前記シート水槽内に設けられ前記防火水槽のマンホールに連通し導水のための導水路体と、前記シート水槽上部にあって、前記防火水槽のコンクリート天井と前記ブロックの上部間に挿入され、内部に密封の水袋を形成する第２遮水シート体と、からなる。
【００１１】
本発明２の更正された防火水槽は、請求項１に記載の更正された防火水槽において、前記遮水シート体および前記第２遮水シート体は、二重のシート体でシート間に前記水袋を形成する構成のものであることを特徴とする。
【００１２】
本発明３の更正された防火水槽は、請求項１に記載の更正された防火水槽において、前記水袋はチューブ形状部又は布団形状部を有する水袋であることを特徴とする。
【００１３】
本発明４の防火水槽の更正方法は、既存の防火水槽のコンクリート壁に沿って囲繞枠を構成し、内部に密封の水袋を形成する遮水シート体を敷き、前記水袋に水を供給して前記遮水シート体を膨らませ前記囲繞枠を構成するシート水槽を形成し、前記シート水槽内に複数のブロックを積み重ね、前記ブロックと前記防火水槽の天井との間に内部に密封の水袋を形成する第２遮水シートを敷き、前記シート水槽内に導水路を設けて、前記シート水槽内に水を導き貯水するようにした
ことを特徴とする。
【発明の効果】
【００１４】
本発明の更正された防火水槽は、防火水槽の壁に沿って水袋を有する二重の遮水シートを緩衝材としてコンクリート壁に対し密着構成にし、且つブロックを積み上げた構成のものにしたので、内壁の崩落によってガレキが内部に落下するのを防止できることとなった。又崩落が一部に生じてもガレキはこの遮水シート体とブロックで遮断する構成となり、コンクリート壁のひび割れによる水漏れが生じても遮断シート体で止水されているので、結果的に崩落があっても水漏れがなく貯水能力を維持する構成の防火水槽になった。
【図面の簡単な説明】
【００１５】
【図１】図１は、本発明の実施の形態における更正された防火水槽の断面を示す説明図である。
【図２】図２は、図１の詳細を部分平面断面で示す説明図である。
【図３】図３は、遮水シート体の原型を示す部分断面図である。
【図４】図４は、水が供給された状態の遮水シート体の構成を示す部分断面図である。
【図５】図５は、シート水槽の構成をなす遮水シート体の外観図である。
【図６】図６は、ブロックの例を示す外観図である。
【図７】図７は、布団形状部で構成される第２遮水シート体の外観図である。
【発明を実施するための形態】
【００１６】
以下、本発明の実施の形態を、図面を参照しながら説明する。図１は、本発明の実施の形態を断面で示す更正された防火水槽の全体説明図であり、図２はその部分詳細説明図である。図は地中に埋設されたコンクリートの防火水槽を示す。この防火水槽あるいは貯水槽は日本消防設備安全センターの規格に適合した認定製品としている。この認定製品は、大きさにより４０ｍ3の防火水槽や４０ｍ3、６０ｍ3〜１００ｍ3の貯水槽として決められている。
【００１７】
本実施の形態の説明においては、防火水槽は貯水槽を含めての防火水槽として説明する。防火水槽はコンクリート製で地下埋設型のものは地中のピットに埋設され、その上に載置される重量の大きさにより種類が異なっている。このコンクリート製の防火水槽は、埋設して２，３０年経過すると、コンクリートの経年劣化や地震等の崩落の伴う自然災害で本体にひび割れが生じ、水漏れにより水槽の水位低下が生じる。
【００１８】
このため補修のためのメンテナンスは欠かせない。本実施の形態は、この老朽化した防火水槽Ａを対象にし、その更正を図る方法とその更正を施した防火水槽（以下「防火水槽１」という）についてのものである。この防火水槽１は使用時には角形状の水槽に水が満たされていて、この水槽の開口部にはメンテナンスと水の取り出しのため、円筒状のマンホール２が設けられている。このマンホール２の下部は導水路となっている。新製されて埋設されるときは、防火水槽は分割して組まれることもあって、水槽の内壁はその継ぎ目を含め全体に防水性樹脂が塗布されている。
【００１９】
しかし、耐用年数を越えると、壁塗装面が剥離したり、コンクリートのひび割れにより水漏れが生じる。このため補修等の施工が必要となる。次にこの老朽化した防火水槽Ａの更正方法とその構成についての実施の形態を説明する。老朽化した防火水槽Ａを更正するために、先ず水槽内の水を抜き空の状態にする。次にマンホール２から作業者が入り、このマンホール２を介して遮水シート体３を挿入する。
【００２０】
この遮水シート体３は、止水機能を有し柔軟構造体のもので、合成樹脂体としている。長時間水の浸食に耐えられるものである。挿入時には折りたたまれているが、水槽内に挿入後拡げる。老朽化した防火水槽Ａの壁に沿っての無端構造で底面を有し、上部が開放された形状のものである。この遮水シート体３は立ち上げ状態のときは、老朽化した防火水槽Ａのコンクリート壁より隙間を有して配置され、その縁部は老朽化した防火水槽の天井に達する。
【００２１】
次に遮水シート体３の構成を図３〜図５にもとづき説明する。この遮水シート体３は図３に示すように、２枚の単体シート４を張り合わせたもので、内部に水を供給し水袋形成を可能とする構成になっている。この重ね合わせられた遮水シート体３の一部を仕切り固着させ固着部５とし、その固着部５間は空間部の構成が可能で、水の供給時にチューブ形状になるチューブ形状部６と、水の供給時に平坦な布団形状になる布団形状部７とになる。
【００２２】
この遮水シート体３は重ね合わせの空間に全て水９が供給されると、図４に示すような形態になり、チューブ形状部６と布団形状部７は水袋を形成する。又、防火水槽Ａの底部に設置される部位の遮水シート体は水袋とせずに、二重シートのままの状態あるいは単体シートのままの状態の平坦部８の構成とする。この平坦部８には水９は供給されない。この水袋全てに水９が供給されると、遮水シート体３は図５のように防火水槽Ａのコンクリート壁に沿って囲繞枠を構成し上部が開放され、内部に密封の水袋を形成した遮水シート体３のシート水槽１０を形成する。
【００２３】
この場合、遮水シート体３のチューブ形状部６はシート水槽１０の柱と桁になり、布団形状部７は壁体になり、平坦部８は底になる。このような構成により形成されたシート水槽は、防火水槽Ａ内で第２の防火水槽を形成することになる。水を注入したときには基本的にこのような形態になるが、このシート水槽１０を形成するに当たっては次のような施工を施す。先ずこの遮水シート体３を前述のように、折りたたまれた状態でマンホール２から挿入する。
【００２４】
挿入された遮水シート体３を老朽化した防火水槽Ａの底面全面に亘って敷き、位置が定まったら次に遮水シート体３のチューブ形状部６に注水する。チューブ形状部６は注水されると柱状に立ち上がり、遮水シート体３は図５に示すようにシート水槽１０が形成される。次にマンホール２から複数のブロック１１を挿入しこのシート水槽１０内に敷き詰め、積み上げる。
【００２５】
ブロック１１は、図６の例に示すように、マンホール２から挿入できる大きさのもので、強度があり、内部空間があり、複数のものを積み上げることが可能な樹脂構成のものである。図は角形状のものであるが、円形状のものであってもよい。このブロック１１の積み上げ作業を防火水槽Ａの奥からマンホール２側に向かって施工し内部にブロック１１を収納し、遮水シート体３で囲繞されたブロック１１の有するシート水槽１０を形成する。
【００２６】
防火水槽Ａの天井近傍まで積み上げて、ブロック１１がシート水槽１０の空間を満たしたときに、遮水シート体３の布団形状部７に水を注水する。これにより布団形状部７は膨らみ防火水槽Ａのコンクリート壁とブロック１１に接触し緩衝壁を形成する。これによりシート水槽１０は防火水槽Ａ内に固定された状態になる。
【００２７】
ブロック１１をマンホール２近傍まで敷き詰めたときには、消防車等のホースを挿入するスペースを確保するため、このスペースに周囲に孔を空けた導水路体、即ち、円筒管１２を挿入する。この導水路体は、円形状以外に角形状の枠体であってもよい。
【００２８】
この円筒管１２は分割形式とし、ブロック１１の積み重ねに対応し積み重ねていく。しかし、この円筒管１２は分割形式としているが、底部からマンホール２側にかけて一体のものであってもよい。遮水シート体３とブロック１１の組み付け時においては、マンホール２近傍のブロック１１が導水路側に崩れ易くなるので、マンホール２側では分割した円筒管１２もブロック１１と同時に底から積み上げておいておく。
【００２９】
このようにブロック１１、円筒管１２を底から順に相互に積み上げていく。このブロック１１の積み上げと遮水シート体３の施工においては、遮水シート体３の一部を防火水槽Ａ天井の一部に引っ掛けて行ってもよい。遮水シート体３は角形状であるので、水袋に水が供給されると水の重量で崩れるおそれがあるのでこれを防ぐためである。
【００３０】
図示はしていないが、チューブ形状部の上部に部分的に突起部を設けるかあるいはワイヤ等でコンクリート天井に引っ掛け吊り下げる構成にしてもよい。他の施工例として、シート水槽を形成する初段階において水袋に空気を供給して仮のシート水槽１０を構築し、内部にブロック１１を積み上げた後に水９を供給するようにしてもよい。
【００３１】
ブロック１１の最上端はブロック１１がむき出しの状態であるので、上部の天井との間のスペースに図７に示す第２遮水シート体１３を挿入し被せる。この第２遮水シート体１３は大半を布団形状部７で構成するものであるが、チューブ形状部６を有するものであってもよい。配置が定まったときにこの布団形状部７に水９を供給して膨らませて、防火水槽Ａの天井とブロック１１の上部の隙間を埋める。
【００３２】
この結果、この第２遮水シート体１３は緩衝材となるので崩壊によるガレキがシート水槽１０内の入り込むのを防ぐことができる。このような施工を施すことによって、シート水槽６の水は清浄化を保つことができるので、飲料水としての使用が可能である。このようにして防火水槽Ａの奥からマンホール２側に施工を進め、最終的には遮水シート体３及び第２遮水シート体１３で全ブロック１１を覆うことになる。このことは同時に、その外側のスペースを即ち、天井、内壁を含め全ての隙間を水袋によるシートで覆うことであり、緩衝材の機能を果たす。
【００３３】
遮水シート体３を敷き詰める際には、コンクリート壁を予め平坦にして洗浄しておくことはいうまでもない。最終的に円筒管１２内にホース等を入れ、水を供給する。水の供給を受けると、シート水槽１０は貯水槽となる。遮水シート体３は当接するコンクリートの凹凸形状に沿って変形し密着する。
【００３４】
この結果、コンクリート内壁にひび割れ部分があっても、塗装などの施工なしに密封状態が確保でき、貯水槽からの水漏れを防止するとともに、外部からの雨漏り等も防止できる。又、シート水槽１０は、２重の単体シート４によって構成されているので、破損し難く強度のある貯水槽となっている。本発明の構成は、このように２重のシート構成にし、水袋を緩衝材としているので、崩落等のトラブルが生じても貯水状態は確保され、消防等の有事の際にはいつでも対応ができる。
【符号の説明】
【００３５】
Ａ…老朽化した防火水槽
１…更正された防火水槽
２…マンホール
３…遮水シート体
４…単体シート
５…固着部
６…チューブ形状部
７…布団形状部
８…平坦部
９…水
１０…シート水槽
１１…ブロック
１２…円筒管
１３…第２遮水シート体
【図１】
2013212861.tif 000003
【図２】
2013212861.tif 000004
【図３】
2013212861.tif 000005
【図４】
2013212861.tif 000006
【図５】
2013212861.tif 000007
【図６】
2013212861.tif 000008
【図７】
2013212861.tif 000009